(57)【要約】      （修正有）【課題】髪の束の分量に対して丁度いいところで留める調節機能を付与した髪留め結束バンドを提供する。【解決手段】結束バンドの一端側のヘッド部Ｌ３の止具Ａ１に設けられた孔に足部Ｌ１を挿通して髪を締め付けて結束できるようにし、束ねた髪の束の根元に把持部Ｌ４を親指で固定しながら伸縮構造部Ｌ２を髪に添わせ、弧を描きながらひっぱる。次に足部を髪の束に２、３回巻き付ける。そして足部末端部Ｌ５を孔に挿入する。髪の束がしっかり拘束されるまで足部末端部を引っ張ることにより髪の束が強く拘束され、自動的に留まる。残った足部末端部はハサミで切断すると見た目も美しくなる。【選択図】図１
2020130993.tif 000002
【特許請求の範囲】
【請求項１】
結束バンドの一端側のヘッド部の止具に設けられた孔に足部を挿通して髪を締め付けて結束できるようにしてある結束具において、ヘッド部Ｌ３と足部Ｌ１からなり、足部Ｌ１における足部全体の長さに対して４分の１以上２分の１以下の部分が伸縮構造部Ｌ２に置き換わっている髪留め結束バンド。
【請求項２】
ヘッド部Ｌ３及び足部末端部Ｌ５が、２ｃｍ以上の長さである請求項１記載の髪留め結束バンド。
【請求項３】
ヘッド部Ｌ３及び足部末端部Ｌ５は、非伸縮構造部であり、非伸縮構造部以外の部分が伸縮構造部Ｌ２であり、ヘッド部Ｌ３及び足部末端部Ｌ５の非伸縮構造部と伸縮構造部Ｌ２とは異なる材料からなる請求項１記載の髪留め結束バンド。
【請求項４】
足部Ｌ１全体の上面及び下面は、ヘッド部Ｌ３及び足部末端部Ｌ５と伸縮構造部Ｌ２に０．１ｍｍ以上の段差がないよう、連接部Ｂは平面に連接する請求項１記載の髪留め結束バンド。
【請求項５】
止具Ａ１はヘッド部Ｌ３の先端から少なくとも２ｃｍ以上離れたヘッド部Ｌ３上面に設け、ヘッド部Ｌ３の一部に把持部Ｌ４を備えた請求項１記載の髪留め結束バンド。
【請求項６】
髪留め結束バンドの長手方向と止具Ａ１の孔Ａ２のバンド挿通方向とが非垂直である請求項１記載の髪留め結束バンド。
【発明の詳細な説明】
【技術分野】
【０００１】片手で簡単に髪を結束することができる伸縮構造部のある髪留め結束バンド。
【背景技術】
【０００２】  従来から髪を結束する際には環状ヘアゴムなどの結束具が用いられてきた。ただ環状ヘアゴムの結束具は当初から無端の輪状に形成されているため、髪の束に巻き付ける場合は容易だが、環状の長さが決まっているので髪を束ねた分量に対して調節ができないという問題があった。またゴム紐などの結束具も従来より知られているがゴム紐は長い紐をその都度必要な長さにカットする。そして結束時、カットされたゴム紐を髪の束に２、３回巻き付け、片手で髪の束を持ち、もう片方の手でゴム紐両先端部を結ぶという作業を行ってきた。一方、電線等を結束するものとして、特許文献１がある。特許文献１の結束具は弾性部が蛇行形状で山部と谷部が備えてある。
【先行技術文献】
【特許文献】
【０００３】
【特許文献１】特開２００７−２３８１２６号公報
【発明の概要】
【発明が解決しようとする課題】
【０００４】環状ヘアゴムの課題：
従来からある環状ヘアゴムは全体が伸縮構造であり、簡単に髪を留めることができるが環状の長さが決まっていて髪の束の分量に対して丁度いいところで留めるのは難しい。（１）課題は調節機能を付与することである。【０００５】ゴム紐の課題：
また従来からあるゴム紐も全体が伸縮構造であるので髪を留めることはできるが、その都度必要な長さにゴム紐をカットしなければならないため、面倒で時間がかかる。効率的に作業をするためには、（２）予め髪の束に対応できる長さになっていることが課題である。
さらにカットしたゴム紐を髪の束に２、３回巻き付けたあと、片手で髪の束を持ち、もう片方の手でゴム紐を結ぶ。これは不慣れな人や初心者には難しい作業である。（３）片手で簡単に髪を留めることが課題である。【０００６】環状ヘアゴム及びゴム紐の利点：
しかし環状ヘアゴム及びゴム紐は、全体が伸縮構造であるので、環状ヘアゴム及びゴム紐が髪に引っかかる違和感はなく、また髪の束から抜け落ちることもなく留まる。【０００７】工業用、園芸用結束バンドの課題：
そこで簡単に止めることができる従来からある結束バンドを髪に使用してみたが、従来のものは工業用（特許文献１）、園芸用結束バンドであり、その弾性構造は髪には適さず、非常に１本１本が細くしなやかな髪が結束バンドに引っかかったり乱れたり、結束バンドが髪の束から抜け落ち留まらないという問題があった。（４）結束バンドが髪の束から抜け落ちず、引っかからないよう結束する事が課題である。
さらに、片手で髪の束を持ち、もう片方の手で結束バンド足部を持ちながら留めるには、工業用、園芸用結束バンドの止具が足部先端部末端にあるので不安定で結束するのに時間がかかるという問題があった。（５）不慣れな人や初心者でも効率的に作業ができるよう簡単に足部末端部が止具の孔に挿入できるようにすることが課題である。【０００８】工業用、園芸用結束バンドの利点：
しかし工業用、園芸用結束バンドの止具は、両手なら簡単に留まり利便性はある。さらに工業用、園芸用結束バンドは調節機能が付与されていて、被結束体の分量に対して調整できる。結束バンド全体の長さも予め設定されている。【０００９】  以上の事から、結束バンド足部の一部に伸縮構造部を備える事で課題が解決できる。また髪留め結束バンドのヘッド部の一部に把持部を備える事もできる。
つまり、環状ヘアゴム及びゴム紐のような伸縮構造を持ち、結束バンドの利便性を維持しつつ、片手で簡単に髪の束を留めることができる、全く新しい髪留め結束バンドを考案する。
【課題を解決するための手段】
【００１０】（１）課題は調節機能を付与することである。
（２）予め髪の束に対応できる長さになっていることが課題である。
（３）片手で簡単に髪を留めることが課題である。
上記、（１）（２）（３）の課題の解決するため本発明の髪留め結束バンドは以下の技術的手段を講じている。【００１１】  髪留め結束バンドの伸縮構造部Ｌ２に関する技術手段。
髪留め結束バンドのヘッド部Ｌ３が２ｃｍ以上、かつ、足部Ｌ１全体に対して４分の１以上の長さにする理由として、まず、片手で髪の束を持ち、もう片方の手で結束する際、髪留め結束バンドの伸縮構造部Ｌ２がヘッド部Ｌ３まであると、ヘッド部Ｌ３が不安定で足部末端部Ｌ５をヘッド部Ｌ３の止具Ａ１の孔Ａ２に入れづらく具合が悪かった。
よって、片手でヘッド部Ｌ３を持ち安定させるには、ヘッド部Ｌ３は２ｃｍ以上、かつ、足部Ｌ１全体に対して４分の１以上の長さが好ましい。【００１２】  髪留め結束バンドの伸縮構造部Ｌ２に関する技術手段。
髪留め結束バンドの足部末端部Ｌ５が２ｃｍ以上、かつ、足部Ｌ１全体に対して４分の１以上の長さにする理由として、まずヘッド部Ｌ３の止具Ａ１に設けられた孔Ａ２に足部末端部Ｌ５を入れ，引き締める際、足部末端部Ｌ５が２ｃｍ以下の場合は、長さが足らず止まらないというおそれがある。いろいろな髪の分量に対応するには、ある程度の長さが必要である。
よって、髪を束の分量に対して丁度いい所で止めるには、足部末端部Ｌ５は２ｃｍ以、かつ、足部Ｌ１全体に対して４分の１以上の長さが好ましい。【００１３】  髪留め結束バンドの伸縮構造部Ｌ２に関する技術手段。
髪留め結束バンドの伸縮構造部Ｌ２が足部Ｌ１全体に対して４分の１以上、２分の１以下の長さにする理由として、まず足部末端部Ｌ５が非伸縮構造部になっていないとヘッド部Ｌ３の止具Ａ１の孔Ａ２には入らないおそれがある。またヘッド部Ｌ３も非伸縮構造部でないと不安定な場合がある。以上のことから、足部Ｌ１全体が伸縮構造部Ｌ２では、解決できない。つまりヘッド部Ｌ３及び足部末端部Ｌ５の構造は非伸縮構造部であり、足部Ｌ１の一部には伸縮構造部Ｌ２を持たせることが重要である。また伸縮構造部Ｌ２は短すぎると結束力に欠け、長すぎるとはかどらなかった。
よって伸縮構造部Ｌ２は、ヘッド部Ｌ３及び足部末端部Ｌ５以外で足部Ｌ１全体の４分の１以上２分の１以下の長さが好ましい。【００１４】    （４）の髪留め結束バンドが髪の束から抜け落ちず、引っかからないよう結束する事を解決するには、ヘッド部Ｌ３及び足部末端部Ｌ５と伸縮構造部Ｌ２の連接の工夫をこらすことが好ましい。
髪の束の周囲に結束バンドを配置する際、結束バンドは引っかかりやすい問題があったが、髪留め結束バンドのヘッド部Ｌ３と足部末端部Ｌ５の延長線上に伸縮構造部Ｌ２を備え、ヘッド部Ｌ３及び足部末端部Ｌ５と伸縮構造部Ｌ２の連接部Ｂは平面に連接することで抜け落ちず引っかかりがなく、結束力も阻害しないような形にする。ヘッド部Ｌ３及び足部末端部Ｌ５と伸縮構造部Ｌ２の連接部Ｂの段差のない平面とは、０．１ｍｍ以下が好ましい。
足部Ｌ１全体の面を揃えて連接部Ｂの段差をなくし、異なる素材を連接させるには二色成形やインサート成形などが良い。
結束バンドは工業用、園芸用でその被結束体は髪より太いので従来のものでよいが、１本１本が細くしなやかな髪の束を留めるには、引っかかりのないよう、髪留め結束バンドのヘッド部Ｌ３及び足部末端部Ｌ５の延長線上に伸縮構造部Ｌ２を備える配慮をする。【００１５】  （５）の不慣れな人や初心者でも効率的に作業ができるよう、簡単に足部末端部Ｌ５がヘッド部Ｌ３の止具Ａ１の孔Ａ２に挿入できるようにする。そのためには、止具Ａ１の位置を改善し、ヘッド部Ｌ３の一部に把持部Ｌ４を備える。止具Ａ１の位置はヘッド部Ｌ３の先端から少なくとも２ｃｍ以上離れたヘッド部Ｌ３の上面Ｃ１に設ける。また髪の束の周囲に髪留め結束バンドの足部Ｌ１を配置して足部末端部Ｌ５を止具Ａ１に挿入し引き締める際、ヘッド部Ｌ３が不安定で足部末端部Ｌ５を止具Ａ１の孔Ａ２に挿入するのに時間がかかるという問題があったが、ヘッド部Ｌ３の一部に把持部Ｌ４を備えることにより安定し解決する。【００１６】  さらに（５）の不慣れな人や初心者でも効率的に作業ができるよう、簡単に足部末端部Ｌ５がヘッド部Ｌ３の止具Ａ１の孔Ａ２に挿入できるようにする。そのためには、髪留め結束バンドの長手方向と止具Ａ１の孔Ａ２のバンド挿通方向とを非垂直に備える。
つまり、ヘッド部Ｌ３の止具Ａ１の方向を改良して髪を留める結束機能を向上することで解決し、足部末端部Ｌ５がヘッド部Ｌ３の止具Ａ１の孔Ａ２に簡単に挿入できる。【００１７】  以上の技術的手段が（１）から（５）の課題を全て解決し、非伸縮構造部であるヘッド部Ｌ３及び足部末端部Ｌ５と、足部Ｌ１の一部にある伸縮構造部Ｌ２と、さらに把持部Ｌ４を備える、全く新しい髪留め結束バンドを考案した。
【発明の効果】
【００１８】  調節機能を付与することで髪の束の分量に対して丁度いいところで留めることができた。【００１９】  いろんな髪の束に対応できる長さになり効率的に作業できるようになった。【００２０】  片手で髪を留めることができる簡単な作業になった。【００２１】  髪留め結束バンドが髪の束から抜け落ちず、引っかからないよう結束する事ができたので、美しい仕事ができるようになった。【００２２】  不慣れな人や初心者でも、効率的に作業ができるよう、足部末端部Ｌ５が簡単に止具Ａ１の孔Ａ２に挿入できるよう対応できた。
【図面の簡単な説明】
【００２３】
【図１】本発明の実施形態に関わる髪留め結束バンドの正面図
【図２】図１の髪留め結束バンドの側面図
【図３】髪留め結束バンドの使用状態を示す斜視図
【発明を実施するための形態】
【００２４】  髪留め結束バンドとは、伸縮構造部Ｌ２を備えた、束ねた髪を留める結束バンドである。
【００２５】  本発明の実施形態を図面参照にて詳細に説明する。図１は本実施形態に関わる髪留め結束バンドの正面構造、図２はその側面構造を示す。図３は髪留め結束バンドで髪を留めた状態を示す。
【００２６】  図１、図２に示すように本実施形態は、止具Ａ１、孔Ａ２、連接部Ｂ、足部Ｌ１、伸縮構造部Ｌ２、ヘッド部Ｌ３、把持部Ｌ４、足部末端部Ｌ５、上面Ｃ１、下面Ｃ２、からなる。
【００２７】  次に髪留め結束バンドの使い方を説明する。
髪の束を留めるには、まず、束ねた髪の束の根元に把持部Ｌ４を親指で固定しながら伸縮構造部Ｌ２を髪に添わせ、弧を描きながらひっぱる。次に足部Ｌ１を髪の束に２、３回巻き付ける。そして足部末端部Ｌ５を孔Ａ２に挿入する。髪の束がしっかり拘束されるまで足部末端部Ｌ５を引っ張ることにより髪の束が強く拘束され、自動的に留まる。残った足部末端部Ｌ５はハサミで切断すると見た目も美しくなる。
【産業上の利用可能性】
【００２８】  使い勝手が良いので、幅広く使用できる。
【符号の説明】
【００２９】Ａ１  止具
Ａ２  孔
Ｂ    連接部
Ｌ１  足部
Ｌ２  伸縮構造部
Ｌ３  ヘッド部
Ｌ４  把持部
Ｌ５  足部末端部
Ｃ１  上面
Ｃ２  下面
【図１】
2020130993.tif 000003
【図２】
2020130993.tif 000004
【図３】
2020130993.tif 000005